(57)【要約】【課題】利用者が網棚を利用するタイミングに合わせて車両の揺れ等に関する情報を表示することで、利用者の安全に寄与する。【解決手段】距離センサから得た距離データに基づき、網棚の利用の開始又は終了を検出する網棚利用検知部２と、標準の運行情報を予め記録している車両運行情報記録部４と、現在の運行情報を外部から取得する車両運行情報取得部３と、ディスプレイ８に表示するコンテンツを予め記憶しているコンテンツ記録部６と、網棚利用検知部２により検出された網棚の利用の開始又は終了情報、車両運行情報記録部４に記録されている標準の運行情報及び車両運行情報取得部３により取得された現在の運行情報に基づき、コンテンツを選択するコンテンツ選択部５と、選択されたコンテンツをディスプレイに表示する表示制御部７とを備えている。【選択図】図１
2012123133.tif 000002
【特許請求の範囲】
【請求項１】
物体までの距離を計測する距離センサから得た距離データに基づき、物体を載せる網棚の利用の開始又は終了を検出する網棚利用検知部と、
車両が通過する駅、各駅間における所要時間、加速・減速地点、車両が揺れる地点を標準の運行情報として予め記録している車両運行情報記録部と、
車両が現在運行している区間、前駅を発車してからの経過時間を現在の運行情報として外部から取得する車両運行情報取得部と、
ディスプレイに表示するコンテンツを予め記憶しているコンテンツ記録部と、
前記網棚利用検知部により検出された網棚の利用の開始又は終了情報、前記車両運行情報記録部に記録されている標準の運行情報及び前記車両運行情報取得部により取得された現在の運行情報に基づき、前記コンテンツ記憶部に記憶されているコンテンツを選択するコンテンツ選択部と、
前記コンテンツ選択部により選択されたコンテンツを前記ディスプレイに表示する表示制御部とを備える情報表示装置。
【請求項２】
前記コンテンツ選択部により選択されたコンテンツを複数のディスプレイに分散表示する際に、前記網棚利用検知部を各ディスプレイ対応に備え、
何れかの網棚利用検知部が網棚の利用の開始を検出した際に、前記コンテンツ選択部により選択されたコンテンツを、網棚の利用の開始を検出した網棚利用検知部に対応するディスプレイに表示しないように編集するコンテンツ編集部を備えることを特徴とする請求項１記載の情報表示装置。
【請求項３】
前記コンテンツ選択部により選択されたコンテンツを複数のディスプレイに分散表示する際に、
各ディスプレイの表示状態を監視する画像センサからの情報と前記コンテンツ選択部により選択されたコンテンツの情報を比較し、各ディスプレイの故障を検出する故障検出部と、
前記コンテンツ選択部により選択されたコンテンツを、前記故障検出部が検出した故障したディスプレイに表示しないように編集するコンテンツ編集部とを備えることを特徴とする請求項１記載の情報表示装置。
【請求項４】
前記網棚利用検知部が網棚の利用の開始又は終了を検出した際に、前記ディスプレイの視野角特性を変更して前記コンテンツ選択部により選択されたコンテンツを表示させる視野角特性変更部を備えることを特徴とする請求項１記載の情報表示装置。
【発明の詳細な説明】
【技術分野】
【０００１】
この発明は、車両の網棚の付近に、ディスプレイを単数又は複数設置し、情報表示・広告表示を行う情報表示装置に関するものである。
【背景技術】
【０００２】
視覚を用いた情報伝達は、広告、教育、ビジネス等、現代の社会において非常に重要な役割を有する。例えば、鉄道車両内には、網棚の付近、天井、窓、扉等あらゆる位置に広告が設置されており、乗客の視覚に対して直接的に広告内容を訴え、効果を得ている。
【０００３】
しかしながら、これらの視覚的な広告は視界に入らないことには広告としての役割を果たすことはなく、遮蔽物によって表示が隠れてしまうと、その隠れた領域に表示されている情報を伝えることはできない。
従来の特許文献１に示す情報表示装置では、遮蔽物を検出して遮蔽領域を確定し、遮蔽領域に応じて表示が遮蔽領域の外側になるよう表示情報のレイアウトを決定して表示部に出力するようにしている。また、表示データの一部のみを移動させて表示することについて記載されている。
【先行技術文献】
【特許文献】
【０００４】
【特許文献１】特開２００４−３０２１２４号公報
【発明の概要】
【発明が解決しようとする課題】
【０００５】
しかしながら、上述した特許文献１に開示されている情報表示装置では、利用者が網棚を利用するタイミングに合わせて車両の揺れ等に関する情報を表示することができず、利用者の安全に寄与することができなかった。
【課題を解決するための手段】
【０００６】
上記課題を達成するために、この発明に係る情報表示装置は、物体までの距離を計測する距離センサから得た距離データに基づき、物体を載せる網棚の利用の開始又は終了を検出する網棚利用検知部と、車両が通過する駅、各駅間における所要時間、加速・減速地点、車両が揺れる地点を標準の運行情報として予め記録している車両運行情報記録部と、車両が現在運行している区間、前駅を発車してからの経過時間を現在の運行情報として外部から取得する車両運行情報取得部と、ディスプレイに表示するコンテンツを予め記憶しているコンテンツ記録部と、前記網棚利用検知部により検出された網棚の利用の開始又は終了情報、前記車両運行情報記録部に記録されている標準の運行情報及び前記車両運行情報取得部により取得された現在の運行情報に基づき、前記コンテンツ記憶部に記憶されているコンテンツを選択するコンテンツ選択部と、前記コンテンツ選択部により選択されたコンテンツを前記ディスプレイに表示する表示制御部とを備えている。
【発明の効果】
【０００７】
網棚の利用の開始又は終了を検出し、網棚の利用状況に合わせたコンテンツを表示することで、利用者が網棚を利用するタイミングにあわせて車両の揺れ等に関する情報を表示でき、利用者の安全に寄与する。
【図面の簡単な説明】
【０００８】
【図１】本発明の実施の形態１の機能ブロック図である。
【図２】本発明の実施の形態１の設置例を説明する図である。
【図３】本発明の画像センサの網棚利用開始検出時を説明する図である。
【図４】本発明の画像センサの網棚利用終了検出時を説明する図である。
【図５】本発明の実施の形態２の機能ブロック図である。
【図６】本発明のコンテンツ連携表示の例を示す図である。
【図７】本発明の実施の形態３の機能ブロック図である。
【図８】本発明の実施の形態３の設置例を説明する図である。
【図９】本発明の実施の形態４の機能ブロック図である。
【図１０】本発明の視野角特性の変更を説明する図である。
【発明を実施するための形態】
【０００９】
実施の形態１．
図１はこの発明の実施の形態１に係る情報表示装置の構成を示す機能ブロック図である。この情報表示装置は、網棚利用検知部２、車両運行情報取得部３、車両運行情報記憶部４、コンテンツ選択部５、コンテンツ記憶部６および表示制御部７を備えている。
【００１０】
距離センサ１は、例えばディスプレイ８前方距離９００ｍｍ−４００ｍｍの間の物体を感知し、物体までの距離を計測する。設置例を図２によって説明する。図２は網棚を横方向から見た図である。網棚とつり革を感知しないように設置された距離センサ１は網棚上に設置したディスプレイ８の前方にある網棚利用者の荷物までの距離を感知し、距離データとして網棚利用検知部２に出力する。
【００１１】
図１に示す、網棚利用検知部２は、入力された距離データの距離が近くなる場合に網棚利用の開始、距離が遠くなる場合に網棚利用の終了、と認識することで、距離データの変化により、網棚利用の開始又は終了を検知し、網棚利用の開始又は終了情報としてコンテンツ選択部５に出力する。
【００１２】
なお、ディスプレイ８が複数設置されている場合、距離センサ１は各ディスプレイ８対応に備えられ、網棚利用検知部２は各距離センサ及び各ディスプレイ８対応に網棚利用の開始又は終了を検知する。
【００１３】
次に図３によって、網棚利用開始の検出について説明する。図３は網棚を横方向から見た図である。
距離センサ１が先に出力した物体までの距離データＤ１と後に出力した物体までの距離データＤ２を受け取った網棚利用検知部２は、物体までの距離データの変化（Ｄ１−Ｄ２）を算出し、物体までの距離データの変化が正の値である場合（Ｄ１−Ｄ２＞０）に、網棚利用検知部２は網棚利用の開始を検出する。
【００１４】
次に図４によって、網棚利用終了の検出について説明する。図４は網棚を横方向から見た図である。
距離センサ１が先に出力した物体までの距離データＤ３と後に出力した物体までの距離データＤ４を受け取った網棚利用検知部２は、物体までの距離データの変化（Ｄ３−Ｄ４）を算出し、物体までの距離データの変化が負の値である場合（Ｄ３−Ｄ４＜０）に、網棚利用検知部２は網棚利用の終了を検出する。
【００１５】
図１に示す、車両運行情報取得部３は、その車両の現在の運行情報、例えば、車両が現在運行している区間、前駅を発車してからの経過時間、等の情報を外部システムより受信し、現在の運行情報としてコンテンツ選択部５に出力する。
【００１６】
車両運行情報記憶部４は、例えば、車両が通過する駅、各駅間における所要時間、車両の加速・減速地点、車両が揺れる地点、等の情報を予め蓄積されたデータベースであり、次に車両が揺れる地点や車両の加速および減速の地点までの所要時間、等の情報を記録し、標準の運行情報としてコンテンツ選択部５に出力する。
【００１７】
コンテンツ選択部５は、以上のようにして得られた、網棚利用検知部２から出力された網棚利用の開始又は終了情報、車両運行情報取得部３から出力された現在の運行情報、車両運行情報記憶部４から出力された標準の運行情報を基に、その時の網棚の利用状況に合わせて、表示することが有効なコンテンツをコンテンツのデータベースであるコンテンツ記憶部６から選択する。例えば、揺れが予想される加速時に網棚を利用しようとする利用者に対し、コンテンツ選択部５は「加速中は揺れが予想されますので、つり革に掴まる等、十分ご注意ください」といった内容のコンテンツを選択し、選択コンテンツ情報として表示制御部７へ出力する。また、例えば揺れが予測される減速時に網棚利用を終了する利用者に対し、コンテンツ選択部５は「減速中は揺れが予想されますので、つり革に掴まる等、十分ご注意ください」といったコンテンツを選択し、選択コンテンツ情報として表示制御部７へ出力する。
なお、ディスプレイ８が複数設置されている場合、コンテンツ選択部５はどのディスプレイ８に表示すべきかを含めて選択コンテンツ情報を表示制御部７へ出力する。
【００１８】
表示制御部７は、コンテンツ選択部５の出力した選択コンテンツ情報を受け、選択されたコンテンツをディスプレイ８の各ローカル座標に変換して、ディスプレイ８に表示する制御を行う。
なお、ディスプレイ８が複数設置されている場合、表示制御部７はコンテンツ選択部５から指示されたディスプレイ８にコンテンツを表示させる。
【００１９】
ディスプレイ８は表示制御部７からの出力を受けて、つり革につかまる等注意する旨の表示を行う。
【００２０】
以上のようにして、実施の形態１の情報表示装置は網棚の利用の開始又は終了を検出し、網棚の利用状況に合ったコンテンツを表示することで、利用者が網棚を利用するタイミングにあわせて車両の揺れ等に関する情報を表示でき、利用者の安全に寄与する。
【００２１】
実施の形態２．
図５は、この発明の実施の形態２の機能ブロック図であり、図１に示す情報表示装置にコンテンツ編集部９を加えたものである。図１と同一符号は同一又は相当部分を示すので説明を省略する。
実施の形態２では、コンテンツ選択部５により選択された広告等のコンテンツを複数のディスプレイ８に分散表示する場合において、複数のディスプレイ８のうちいずれかの正面に荷物が置かれている状況を前提としており、正面に荷物が置かれているディスプレイ８に対する網棚利用検知部２は網棚の利用を検知している状態とする。
【００２２】
コンテンツ選択部５は、車両運行情報取得部３から出力された現在の運行情報、車両運行情報記憶部４から出力された標準の運行情報を基にコンテンツ記憶部６から広告等のコンテンツを選択し、網棚利用検知部２から出力された網棚利用の開始又は終了情報によりどのディスプレイ８に荷物が置かれているかをコンテンツ編集部９に出力する。
【００２３】
コンテンツ編集部９はコンテンツ選択部５が出力する選択コンテンツ情報を受け、荷物の置かれていない他のディスプレイ８に連携させて表示するコンテンツを自動編集する。例えば、網棚上の荷物が遮蔽物となり、隠れてしまっていると予想されるコンテンツを周りのディスプレイ８に割り込み演算（図６を使用して後述する）させるようにコンテンツを編集し、編集コンテンツ情報として表示制御部７へ出力する。
【００２４】
表示制御部７はコンテンツ編集部９によって編集されたコンテンツをディスプレイ８の各ローカル座標に変換して、ディスプレイ８に表示する制御を行う。
図６によって、コンテンツ編集部９の効果を説明する。図６（ａ）は、例えば３面マルチのディスプレイ８ａ、８ｂ、８ｃを正面方向から見た図である。それぞれのディスプレイ８に、別々のコンテンツが表示されている。
次に図６（ｂ）は、ディスプレイ８ａが見えなくなった場合の表示である。コンテンツ編集部９の編集によりディスプレイ８ａに表示されていたコンテンツが別のディスプレイ８ｂに割り込み、２面のディスプレイ８ｂ，８ｃで３つのコンテンツを均一に表示している。他に、ウィンドウにして表示領域を分けたり、透過表示にして重ねたり、時分割にして切り替える方法がある。
このようにして、遮蔽物によりディスプレイ８ａに表示すべきコンテンツが表示されない事態を避ける。
【００２５】
以上のようにして、実施の形態１と同様の効果が得られると共に、網棚を利用した場合でも、ディスプレイ８の連携表示により、遮蔽物によって情報が隠されることなく、情報を表示できる情報表示装置を得ることができる。
【００２６】
実施の形態３．
図７は、この発明の実施の形態３の機能ブロック図であり、図５に示す情報表示装置に画像センサ１０および故障検出部１１を加えたものである。図１，図５と同一符号は同一又は相当部分を示すので説明を省略する。
【００２７】
次に図８によって、実施の形態３の設置例を説明する。図８は網棚を横方向から見た図である。画像センサ１０はディスプレイ８を撮影可能な位置に設置し、ディスプレイ８を撮影して、画像データとして出力する。
ディスプレイ８が複数設置されている場合には、画像センサ１０は各ディスプレイ８対応に備えられているものとする（センサ一つで複数の画面を認識することも可能である）。
ディスプレイ８には実施の形態２と同様の広告等のコンテンツが表示されている。
【００２８】
図７に示す、故障検出部１１は、画像センサ１０がディスプレイ８を撮影した画像データを受け、コンテンツ選択部５から得る画像データと比較し、一致しなかった場合に故障を検出してコンテンツ編集部９に出力する。
コンテンツ編集部９は、故障が検出されたディスプレイ８に表示すべきコンテンツを周りのディスプレイ８に割り込みさせるようにコンテンツを編集し、編集コンテンツ情報として表示制御部７へ出力する。
表示制御部７は故障が検出されたディスプレイ８を除いてコンテンツを他のディスプレイ８に表示させる。
【００２９】
以上のようにして、実施の形態１と同様の効果が得られると共に、ディスプレイ８のいずれかに故障が生じた場合でも、他のディスプレイ８の連携表示により、表示できていない情報が生じることがない情報表示装置を得る。
【００３０】
実施の形態４．
図９はこの発明の実施の形態４に係る情報表示装置の機能ブロック図であり、図１に示す情報表示装置に視野角特性変更部１２を加えたものである。図９において、図１と同一符号は同一又は相当部分を示すので説明を省略する。
実施の形態４では、あるディスプレイ８の前の網棚上に荷物が置かれている状況を前提としており、網棚利用検知部２は網棚の利用を検知している状態とする。
視野角特性変更部１２は、荷物が置かれている網棚の後方のディスプレイ８の特性を視野角範囲に合わせて変更するものである。
【００３１】
視野角特性変更部１２は、コンテンツ選択部５が出力する網棚利用検知部２が出力した網棚利用の開始又は終了情報を受け、その網棚利用検知部２に対応するディスプレイ８の視野角特性を変更する。網棚利用検知部２が網棚利用の開始を検出した場合、視野角特性変更部１２は荷物によってディスプレイ８の下方から見ることができなくなることに対応し、視野角特性を変更し、例えば正面から上方にかけての視野から見て、綺麗に見えるような色変換を行う。
【００３２】
次に図１０によって、視野角特性の変更について説明する。
図１０（ａ）は網棚が利用されていない場合の視野角を表す。ディスプレイ８の表示面に垂直な角度を基準とし、下方向のθ１から上方向のθ２までが必要な視野角である。
図１０（ｂ）は網棚が利用されている場合の視野角を表す。ディスプレイ８の表示面に垂直な角度を基準とし、下方向のθ１から下方向のθ３までが必要な視野角である。すなわち、網棚が利用されている場合は下方向のθ３から上方向のθ２までの視野角は不要になる。
視野角特性変更部１２は、網棚利用検知部２において網棚の利用開始が検出された場合、視野角の制限を下方向のθ１から下方向のθ３の範囲に変更し、網棚の利用終了が検出された場合、視野角の制限を下方向のθ１から上方向のθ２までの範囲に変更し、表示制御部７に通知する。表示制御部７はディスプレイ８の視野角を変更し、コンテンツをディスプレイ８に表示させる。
なお、θ１、θ２、θ３は荷物の大きさや利用者の目の高さにかかわらず、予め決定した固定値とする。
【００３３】
例えばＴＮタイプの液晶パネルの視野角特性に対応し、色調変化が起きない色領域にするよう、カラーコレクト処理を行う場合があり、視野角特性変更部１２では、視野角を制限することでダイナミックレンジを広げてカラーコレクト処理を行うことができる。
【００３４】
以上のようにして、実施の形態１と同様の効果が得られると共に、網棚利用の開始を検出した場合、網棚上の荷物により表示が遮られることを予測して、視野角を遮蔽物の影響を受けず、有効と予測される範囲に制限し、よりアイキャッチ能力の高い情報表示装置を得る。
また、網棚利用の終了を検出した場合、網棚上の荷物により表示が遮られることはないと予測して、視野角の制限を解除し、よりアイキャッチ能力の高い情報表示装置を得る。
【００３５】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００３６】
１  距離センサ、２  網棚利用検知部、３  車両運行情報取得部、４  車両運行情報記憶部、５  コンテンツ選択部、６  コンテンツ記憶部、７  表示制御部、８  ディスプレイ、９  コンテンツ編集部、１０  画像センサ、１１  故障検出部、１２  視野角特性変更部。
【図１】
2012123133.tif 000003
【図２】
2012123133.tif 000004
【図３】
2012123133.tif 000005
【図４】
2012123133.tif 000006
【図５】
2012123133.tif 000007
【図６】
2012123133.tif 000008
【図７】
2012123133.tif 000009
【図８】
2012123133.tif 000010
【図９】
2012123133.tif 000011
【図１０】
2012123133.tif 000012